(57)【要約】      （修正有）【課題】被服外表面への写りを抑制する裄綿を提供する。【解決手段】上方に向かって凸となるブーメラン形をなし、下縁１２の少なくとも一部が波形に構成された裄綿２０である。毛芯２１を設ける場合、毛芯２１は、千鳥縫い２２により裄綿本体１１に縫い付けられる。そして、裄綿本体１１は、伸縮性を有する不織布により構成されるのが望ましい。裄綿の下縁が波形であることで裄綿の下縁付近の外側への張り出し力が下方に行くにつれて徐々に弱くなり、肩口の外側に裄綿の写りを抑制することができる。また、裄綿の下縁の全範囲が波形であることで、裄綿の写りをより抑制することができる。【選択図】図２
0003150558.tif 000002
【実用新案登録請求の範囲】
【請求項１】
上方に向かって凸となるブーメラン形をなし、下縁の少なくとも一部が波形の裄綿。
【請求項２】
前記下縁の波形は、山の高さよりピッチの方が大きいことを特徴とする請求項１に記載の裄綿。
【請求項３】
前記下縁は、波形のピッチが５〜３０ｍｍであることを特徴とする請求項２に記載の裄綿。
【請求項４】
前記下縁が全範囲に渡って波形であることを特徴とする請求項１から請求項３のいずれか１項に記載の裄綿。
【請求項５】
補強布が千鳥縫いにより縫い付けられた請求項１から請求項４のいずれか１項に記載の裄綿。
【請求項６】
前記補強布は、裄綿本体の上縁に沿って当該上縁の一部の範囲または全範囲に渡って設けられ、前記上縁に沿って裄綿本体に縫い付けられたことを特徴とする請求項５に記載の裄綿。
【請求項７】
裄綿本体が伸縮性を有する不織布により構成されたことを特徴とする請求項１から請求項６のいずれか１項に記載の裄綿。
【考案の詳細な説明】
【技術分野】
【０００１】
本考案は、被服の袖の内側に設けられる裄綿に関する。
【背景技術】
【０００２】
スーツなどの被服の袖の内側には、身頃への接続部分、いわゆる肩口に、一般に裄綿が設けられている。裄綿は、被服の肩口部分を外側に膨らませることで、被服の形状を整えるために用いられる。なお、裄綿は、垂れ綿とも称される。
【０００３】
裄綿は、その外側に張り出そうとする力や下端部のシワにより、肩口の外側に裄綿の下縁部分の形状が写ることがある。そのため、従来、四角い裄綿の下端部に切れ込みを入れることでシワを出にくくしたものが知られている（特許文献１）。また、現在では、切れ込みを入れなくてもシワが出にくくようにするため、特許文献２の図６に示すような、全体として上方に向かって凸となるブーメラン形の形状の裄綿がよく用いられている。
【先行技術文献】
【特許文献】
【０００４】
【特許文献１】特開平１１−０８１０１６号公報
【特許文献２】特開平１１−２２２７０４号公報
【考案の概要】
【考案が解決しようとする課題】
【０００５】
しかし、特許文献２のように、ブーメラン形の裄綿にして下縁部でシワが出来にくいようにしても、肩口で裄綿の下縁部が当たるところと、下縁部が当たる位置のすぐ下の部分とでは、外側への張り出し力が急に変化するため、裄綿の下縁部が肩口の外側面に写るという問題があった。
【０００６】
また、裄綿を袖の付け根に縫い付けるとき、裄綿の上縁部から数ｃｍの部分が外側に膨出するように変形される。このとき、裄綿に設けられる補強布との縫い目に伸縮性が無いと、裄綿がきれいに変形できず、シワを発生する虞がある。
【０００７】
さらに、裄綿に伸縮性が無いと、被服を着用したり保管している最中に裄綿が伸びたままとなって、肩口を型くずれさせるという問題もあった。
【０００８】
本考案は、以上のような背景に鑑みてなされたものであり、被服の肩口の外表面への写りを抑制した裄綿を提供することを目的とする。また、本考案は、補強布を有する裄綿においてシワを抑制することを目的とする。さらに、本考案は、被服の肩口部分の型くずれを抑制することを目的とする。
【課題を解決するための手段】
【０００９】
前記した課題を解決する本考案の裄綿は、上方に向かって凸となるブーメラン形をなし、下縁の少なくとも一部が波形であることを特徴とする。
このような裄綿によれば、全体がブーメラン形であることにより裄綿の下縁にシワがよりにくいだけでなく、裄綿の下縁が波形であることで裄綿の下縁付近の外側への張り出し力が下方に行くにつれて徐々に弱くなり、これにより、肩口の外側に裄綿の写りを抑制することができる。なお、本考案における上下は、裄綿が被服に取り付けられた状態を基準とする。
【００１０】
前記した裄綿においては、前記下縁の波形は、山の高さ（本明細書において、谷と山の高さの差をいう。）よりピッチの方が大きいのが望ましい。下縁の波形の山の高さがあまりに大きいと、波形の先端（下端）部分での外側への張り出し力はほとんど無くなってしまい、材料が無駄となるが、このように、波形の山の高さが適度に小さいことで、波形の部分でも弱い張り出し力を発揮し、材料の無駄を無くすことができる。
【００１１】
そして、前記した裄綿は、波形のピッチが５〜３０ｍｍであることが望ましい。
【００１２】
また、前記裄綿の下縁は、全範囲に渡って波形であるのが望ましい。
【００１３】
裄綿に補強布を設ける場合、補強布は、千鳥縫いにより縫い付けられるのが望ましい。
【００１４】
このように、千鳥縫いにより補強布を縫い付ければ、縫い付け部分においても、伸縮性が保たれ、裄綿（補強布）の変形を容易にし、シワの形成を抑制することができる。
【００１５】
この場合に、前記補強布は、裄綿本体の上縁に沿って当該上縁の一部の範囲または全範囲に渡って設けられ、前記上縁に沿って裄綿本体に縫い付けられた構成とすることができる。
【００１６】
そして、裄綿は、伸縮性を有する不織布により構成されるのが望ましい。
このように、伸縮性を有する不織布により構成することで、裄綿が伸びた場合でも、元の形状に戻ることができるので、裄綿を被服に縫い付けたときの形状に維持でき、被服の型くずれを抑制することができる。
【考案の効果】
【００１７】
本考案によれば、裄綿の下縁が波形であることで裄綿の下縁付近の外側への張り出し力が下方に行くにつれて徐々に弱くなり、肩口の外側に裄綿の写りを抑制することができる。また、裄綿の下縁の全範囲が波形であることで、裄綿の写りをより抑制することができる。
そして、裄綿に補強布を設ける場合、補強布が千鳥縫いにより縫い付けられることで、縫い付け部分での裄綿の変形を容易にし、シワの発生を抑制することができる。
さらに、裄綿が伸縮性を有する不織布により構成されることで裄綿が伸びた場合でも、元の形状に戻ることができ、被服の型くずれを抑制することができる。
【図面の簡単な説明】
【００１８】
【図１】本実施形態に係る裄綿の正面図（ａ）と、（ａ）のＢ部拡大図（ｂ）である。
【図２】本実施形態に係る毛芯が設けられた裄綿の正面図である。
【図３】裄綿を設けた被服の外観斜視図である。
【図４】図３の被服のＩＶ−ＩＶ断面図である。
【考案を実施するための形態】
【００１９】
以下、図面を参照しながら、本考案の一実施形態について説明する。
図１（ａ）に示すように、本考案の一実施形態に係る裄綿１０は、裄綿本体１１の下縁１２が全範囲に渡って波形に形成されたものである。裄綿本体１１の全体形状は、上方に向かって凸となるブーメラン形をなしている。そのため、下側は凹形状の輪郭となっている。このようなブーメラン形により、裄綿１０は、被服の肩口の立体形状に沿い、下縁１２の材料が余ってシワになるのが抑制されている。
【００２０】
裄綿本体１１は、伸縮性を有する不織布からなる。裄綿本体１１は、２０〜３００％程度の伸長が可能であり、かつ伸びたままにならない程度のキックバック性を有するのが望ましい。
【００２１】
下縁１２の波形状は、図１（ｂ）に拡大して示すように、ピッチＰ（波の頂点間の距離）が山の高さＨよりも大きい形状になっている。言い換えれば、下縁１２が上方に入り込む谷の深さが、その程度に浅いものとなっている。
【００２２】
波形状のピッチＰは、裄綿本体１１の材質、剛性、厚みなどにより、裄綿本体１１の外側への張り出し力が異なることから、裄綿本体１１の材質などにより適宜設定されるが、一般によく用いられるタイプの不織布の場合、本考案が目的とする、肩口外側への下縁１２の形状の写り抑制の観点からは、５〜３０ｍｍ程度であるのが好ましく、１０〜１５ｍｍ程度であるのがより好ましい。ピッチＰが大きすぎる場合、小さすぎる場合のいずれも、波形とはいえない形状に近づき、下縁１２の外側への張り出し力の「ぼかし」がうまくできなくなるからである。もっとも、前記したように、ピッチＰの大きさは、裄綿本体１１の材質などにより適宜調整されるので、上記の数値範囲に限定されるものではない。
【００２３】
図２は、補強布を設けた裄綿２０の一実施形態である。
裄綿２０の裄綿本体は、上述した裄綿１０と全く同じものであるので、符号１０′により示し、説明を省略する。
補強布の一例としての毛芯２１は、裄綿本体１０′の下縁１２から所定距離離れ、また、上縁１３の左右端からそれぞれ３ｃｍ程度ずつ離れた所定範囲だけ裄綿本体１０′と重なる形状を有する。そして、毛芯２１は、裄綿本体１０′の上縁１３から５〜１０ｍｍ程度の範囲で、上縁１３の方向に沿って千鳥縫い２２により裄綿本体１０′に縫い付けられている。
【００２４】
千鳥縫い２２は、公知の千鳥縫いミシンにより容易に行うことができるが、必ずしも千鳥縫いミシンにより縫い付けられたものに限るわけではなく、ジグザグの経路で縫ってあれば、手縫いにより行ってもよい。
【００２５】
毛芯２１は、上縁１３に沿った方向に伸縮性を有するのが好ましいため、平織りの布を用いる場合、経糸および緯糸が延びる方向の間の方向と、上縁１３の方向とが平行であるのが好ましい。言い換えると、経糸および緯糸は、上縁１３に対し、およそ４５°の向きに延びているのが望ましい。
【００２６】
以上のように構成された裄綿２０の作用について説明する。なお、裄綿１０の作用は、裄綿２０の裄綿本体１０′が果たす作用と同じであるので、裄綿２０で代表して説明する。
図３に示すように、裄綿２０は、スーツなどの被服３０の袖３２の付け根、すなわち肩口３２の部分に内側から縫い付けられる。具体的には、図４に示す断面図のように、身頃３１と袖３２の互いの縁を内側に入れて縫い合わせた縫い代３５に対して上縁１３が沿わされて上縁１３付近で縫い付けられている。
【００２７】
このため、裄綿２０は、肩口３３の内側において、外側に膨出するように変形され、この変形による反発力で肩口３３を外側へ張り出させ、肩口３３のふっくらとした形状を維持する。特に、裄綿２０が被服３０に縫い付けられる部分の付近は、図４に示すように急な曲げ方で曲げられるが、本実施形態の裄綿２０では、毛芯２１が千鳥縫い２２により裄綿本体１１に縫い付けられているので、毛芯２１と裄綿本体１１の変形が縫い糸により阻害されず、毛芯２１および裄綿本体１１が容易に変形できるので、この変形部分の周囲で裄綿２０がシワになりにくい。
【００２８】
また、裄綿本体１１は、伸縮性を有する不織布からなるので、例えば、ハンガーの末端が裄綿本体１１に当たったことで裄綿本体１１が伸びたとしても、被服３０をハンガーから外せば縮んで元に戻るので、肩口３３の型くずれを防止することができる。
【００２９】
そして、裄綿本体１１は、下縁１２が波形になっていることから、裄綿本体１１が外側に張り出す力（図４に矢印で示す）は、下縁１２付近において、下に行くほど徐々に小さくなる。そのため、下縁１２付近における張り出し力は、急に変化せず、これにより、裄綿２０が肩口３３の外側面に写ることが抑制される。
【００３０】
以上に本考案の実施形態について説明したが、本考案は、以下の他の形態に示すように、適宜変形して実施することが可能である。
例えば、前記実施形態においては、裄綿１０（裄綿本体１０′）の下縁１２は、全範囲に渡って波形であったが、少なくとも一部が波形であれば、全範囲が波形でなくてもよい。
また、前記実施形態において、毛芯２１は、上縁１３の一部に渡って設けられていたが、上縁１３の全範囲に渡って設けられていてもよい。
さらに、毛芯２１は、必ずしも上縁１３に沿って裄綿本体１１に縫い付けられていなくてもよく、裄綿本体１１および毛芯２１の変形を阻害しない限り、他の経路で裄綿本体１１に縫い付けてあってもよい。
前記実施形態においては、補強布として毛芯を例示したが、補強布は、羊毛の織布の他にも、麻、木綿、合成繊維などの繊維で構成される織布であってもよい。
【符号の説明】
【００３１】
１０，２０    裄綿
１０′，１１  裄綿本体
１２    下縁
１３    上縁
２１    毛芯
３０    被服
３１    身頃
３２    袖
３３    肩口
Ｈ      山の高さ
Ｐ      ピッチ
【図１】
0003150558.tif 000003
【図２】
0003150558.tif 000004
【図３】
0003150558.tif 000005
【図４】
0003150558.tif 000006